(57)【要約】【課題】画面上の数値を用いて良好に計算が行える貨幣処理装置を提供する。【解決手段】出納機１は、取引処理に関わる所定の画面を表示するディスプレイ４０１ａと、操作者に指定された画面上の指定位置を検出するタッチセンサ４０２ｂと、タッチセンサ４０２ｂが検出した指定位置に含まれる数値を取得して当該数値を対象とする計算を行う端末制御部４０３とを備える。端末制御部４０３は、計算結果に係る結果情報をディスプレイ４０１ａに表示させる。【選択図】図３
2018124796.tif 000002
【特許請求の範囲】
【請求項１】
貨幣の取引処理を行う貨幣処理装置において、
前記取引処理に関わる所定の画面を表示する表示部と、
操作者に指定された前記画面上の指定位置を検出する検出部と、
前記検出部が検出した前記指定位置に含まれる数値を取得して当該数値を対象とする計算を行う制御部と、
前記制御部による計算結果に係る結果情報を出力する情報出力部と、
を備えることを特徴とする貨幣処理装置。
【請求項２】
前記情報出力部は、前記表示部、前記結果情報を印字する印字部および前記結果情報を外部に送信する通信部のうち、少なくとも一つを含む、
ことを特徴とする請求項１に記載の貨幣処理装置。
【請求項３】
前記制御部は、前記指定位置に含まれる情報が前記数値でない場合、当該情報を取得しない、
ことを特徴とする請求項１または２に記載の貨幣処理装置。
【請求項４】
前記制御部は、
前記結果情報を記憶部に記憶させ、
所定の操作に基づいて、前記記憶部から前記結果情報を読み出して前記情報出力部に出力させる、
ことを特徴とする請求項１ないし３の何れか一項に記載の貨幣処理装置。
【請求項５】
前記制御部は、
前記結果情報に紐付けて、当該結果情報をもたらした前記数値の取得元の前記画面である取得元画面の画像を前記記憶部に記憶させ、
前記表示部に前記結果情報とともに前記取得元画面の画像を表示させる、
ことを特徴とする請求項４に記載の貨幣処理装置。
【請求項６】
前記制御部は、前記取引処理が実行されたことに基づいて、前記指定位置の検出を開始できる状態にする、
ことを特徴とする請求項１ないし５の何れか一項に記載の貨幣処理装置。
【請求項７】
前記制御部は、前記表示部に表示される前記画面に前記数値を含む前記取引処理の明細情報が載せられる場合に、前記数値が取得された前記明細情報を、前記数値が取得されていない前記明細情報と異なる表示態様で前記画面に載せる、
ことを特徴とする請求項１ないし６の何れか一項に記載の貨幣処理装置。
【請求項８】
貨幣の取引処理を行う貨幣処理装置と、当該貨幣処理装置を管理する管理装置とを備える貨幣処理システムにおいて、
前記取引処理に関わる所定の画面を表示する表示部と、
操作者に指定された前記画面上の指定位置を検出する検出部と、
前記検出部が検出した前記指定位置に含まれる数値を取得して当該数値を対象とする計算を行う制御部と、
前記制御部による計算結果に係る結果情報を出力する情報出力部と、
を備えることを特徴とする貨幣処理システム。
【請求項９】
貨幣の取引処理を行う貨幣処理装置に用いられる貨幣処理方法であって、
前記取引処理に関わる所定の画面を表示部に表示させ、
操作者に指定された前記画面上の指定位置を検出し、
前記指定位置に含まれる数値を取得して当該数値を対象とする計算を行い、
計算結果に係る結果情報を情報出力部により出力させる、
ことを特徴とする貨幣処理方法。
【発明の詳細な説明】
【技術分野】
【０００１】
本発明は、貨幣の取引処理を行う貨幣処理装置、貨幣処理システムおよび貨幣処理方法に関する。
【背景技術】
【０００２】
従来、金融機関等に設置される貨幣処理装置は、表示部を備えており、入金処理、出金処理等の取引処理が行われる際、表示部に表示された画面上で、これら取引処理のための操作が行われる（たとえば、特許文献１参照）。貨幣処理装置や貨幣処理装置と通信可能な外部の管理装置には、取引処理１件１件について、取引処理の種別、貨幣の金種、金種別の金額、合計金額など、取引処理の明細情報（取引データ）が記憶される。所定の照会操作（検索操作）が行われることにより、過去の取引処理の明細情報が含まれた取引明細画面が表示部に表示される。
【０００３】
ところで、複数の取引処理について、取引明細画面上から所望の金額（金額である数値）を抜き出し、抜き出した複数の金額について加減算を行いたい場合がある。
【０００４】
一例を挙げると、ある金種の貨幣、たとえば、１万円の紙幣について、貨幣処理装置が実際に保有している数量が貨幣処理装置で管理されている在高データと一致するかを精査する精査処理を行った結果、違算が生じる場合がある。この場合、違算の原因追究に当たって、まず、貨幣処理装置の在高データ、即ち演算結果に誤りがないかを確認する必要がある。そこで、係員は、精査の対象期間内に行われた取引処理の中から１万円の紙幣が含まれる取引処理を１件１件当たり、その取引処理での１万円の紙幣の金額を取引明細画面上から抜き出し、これら金額を加減算して合計金額を得る。その取引処理で入金された紙幣は加算対象となり、出金された紙幣は減算対象となる。係員は、計算により得られた合計金額と、前回精査時の在高データと今回精査時の在高データの差額とを比べ、一致していれば貨幣処理装置の演算結果に誤りがないと判断し、一致していなければ演算結果に誤りが生じていると判断する。
【０００５】
なお、上記の例はあくまで一例であり、その他の状況によっても、係員は、表示部に表示された画面に含まれる数値を用いて所望の計算を行い得る。
【先行技術文献】
【特許文献】
【０００６】
【特許文献１】特開２０１４−１２３２９６号公報
【発明の概要】
【発明が解決しようとする課題】
【０００７】
従来、貨幣処理装置において、画面に含まれた数値を用いて計算が行われる場合には、電卓が使用され、一つ一つの数値が係員により電卓に手入力される。なお、使用される電卓は、実物の電卓の場合もあるが、貨幣処理装置の表示部において起動される電卓アプリケーションの場合もある。
【０００８】
上記のように、電卓に対して画面上の数値の手入力が行われる場合には、打ち間違いによる数値の入力ミスが発生することが懸念される。また、このような入力ミスが心配されるため、係員の精神的な負担も大きくなりやすい。
【０００９】
そこで、本発明は、画面上の数値を用いて良好に計算が行える貨幣処理装置、貨幣処理システムおよび貨幣処理方法を提供することを目的とする。
【課題を解決するための手段】
【００１０】
本発明の第１の態様は、貨幣の取引処理を行う貨幣処理装置に関する。本態様に係る貨幣処理装置は、前記取引処理に関わる所定の画面を表示する表示部と、操作者に指定された前記画面上の指定位置を検出する検出部と、前記検出部が検出した前記指定位置に含まれる数値を取得して当該数値を対象とする計算を行う制御部と、前記制御部による計算結果に係る結果情報を出力する情報出力部と、を備える。
【００１１】
ここで、前記情報出力部には、前記表示部、前記結果情報を印字する印字部および前記結果情報を外部に送信する通信部のうち、少なくとも一つが含まれ得る。
【００１２】
上記の構成によれば、表示部に表示された画面に含まれた数値を対象として計算を行う場合に、電卓等に数値を手入力しなくても、画面上の数値を指定することで、その数値を計算対象として取得できるので、人為的な数値の入力ミスを低減できる。また、入力ミスの心配が減るので操作者の精神的な負担も小さくなる。
【００１３】
なお、本態様において、「指定位置」とは、指定された一つの位置のみならず、連続的に指定された複数の位置、即ち指定範囲をも広く含むものである。
【００１４】
本態様に係る貨幣処理装置において、前記制御部は、前記指定位置に含まれる情報が前記数値でない場合、当該情報を取得しないような構成とされ得る。
【００１５】
上記の構成によれば、数値でない情報は計算対象として取得されないので、計算処理に予期せぬ不具合等が発生しにくい。
【００１６】
本態様に係る貨幣処理装置において、前記制御部は、前記結果情報を記憶部に記憶させ、所定の操作に基づいて、前記記憶部から前記結果情報を読み出して前記情報出力部に出力させるような構成とされ得る。
【００１７】
上記の構成によれば、操作者は、所定の操作により、過去の計算に係る結果情報を情報出力部に出力させることができるので、必要なときに過去の結果情報を参照できる。
【００１８】
上記の構成とされた場合、さらに、前記制御部は、前記結果情報に紐付けて、当該結果情報をもたらした前記数値の取得元の前記画面である取得元画面の画像を前記記憶部に記憶させ、前記表示部に前記結果情報とともに前記取得元画面の画像を表示させるような構成とされ得る。
【００１９】
このような構成とされれば、操作者は、過去の計算結果に関し、表示部において、計算対象の数値に対応する取得元画面の画像を確認することができる。
【００２０】
本態様に係る貨幣処理装置において、前記制御部は、前記取引処理が実行されたことに基づいて、前記指定位置の検出を開始できる状態にするような構成とされ得る。
【００２１】
上記の構成によれば、取引処理が実行されたことに基づいて、これら取引処理に係る数値を対象とした計算が可能な状態になるので、係員は、たとえば、複数の取引処理が連続的に行われるような場合に、その一連の取引処理に関連する計算を円滑に行うことが可能となる。
【００２２】
本態様に係る貨幣処理装置において、前記制御部は、前記表示部に表示される前記画面に前記数値を含む前記取引処理の明細情報が載せられる場合に、前記数値が取得された前記明細情報を、前記数値が取得されていない前記明細情報と異なる表示態様で前記画面に載せるような構成とされ得る。
【００２３】
上記の構成によれば、操作者は、画面上において、計算対象となる数値が取得された明細情報を識別することができる。
【００２４】
本発明の第２の態様は、貨幣の取引処理を行う貨幣処理装置と、当該貨幣処理装置を管理する管理装置とを備える貨幣処理システムに関する。本態様に係る貨幣処理システムは、前記取引処理に関わる所定の画面を表示する表示部と、操作者に指定された前記画面上の指定位置を検出する検出部と、前記検出部が検出した前記指定位置に含まれる数値を取得して当該数値を対象とする計算を行う制御部と、前記制御部による計算結果に係る結果情報を出力する情報出力部と、を備える。
【００２５】
上記の構成によれば、第１の態様に係る貨幣処理装置と同様の作用効果を奏することができる。
【００２６】
本発明の第３の態様は、貨幣の取引処理を行う貨幣処理装置に用いられる貨幣処理方法に関する。本態様に係る貨幣処理方法は、前記取引処理に関わる所定の画面を表示部に表示させ、操作者に指定された前記画面上の指定位置を検出し、前記指定位置に含まれる数値を取得して当該数値を対象とする計算を行い、計算結果に係る結果情報を情報出力部により出力させる。
【００２７】
上記の方法によれば、第１の態様に係る貨幣処理装置と同様の作用効果を奏することができる。
【発明の効果】
【００２８】
本発明によれば、画面上の数値を用いて良好に計算が行える貨幣処理装置、貨幣処理システムおよび貨幣処理方法を提供することができる。
【００２９】
本発明の効果ないし意義は、以下に示す実施形態の説明により更に明らかとなろう。ただし、以下に示す実施形態は、あくまでも、本発明を実施化する際の一つの例示であって、本発明は、以下の実施形態に記載されたものに何ら制限されるものではない。
【図面の簡単な説明】
【００３０】
【図１】図１は、実施形態に係る、出納機および出納機が含まれる貨幣処理システムの構成を示す図である。
【図２】図２（ａ）は、実施形態に係る、紙幣処理ユニットの主たる構成を示すブロック図であり、図２（ｂ）は、実施形態に係る、硬貨処理ユニットの主たる構成を示すブロック図であり、図２（ｃ）は、実施形態に係る、有価媒体処理ユニットの主たる構成を示すブロック図である。
【図３】図３は、実施形態に係る、出納機の主たる構成を示すブロック図である。
【図４】図４は、実施形態に係る、電卓機能実行処理の制御動作を示すフローチャートである。
【図５】図５は、実施形態に係る、電卓機能実行処理に含まれる画像選択計算処理の制御動作を示すフローチャートである。
【図６】図６は、実施形態に係る、電卓機能実行処理に含まれる計算結果登録処理の制御動作を示すフローチャートである。
【図７】図７は、実施形態に係る、電卓機能実行処理に含まれる計算履歴表示処理の制御動作を示すフローチャートである。
【図８】図８（ａ）は、実施形態に係る、待機画面のタスクバーに電卓アイコンが配置された状態を示す図であり、図８（ｂ）は、実施形態に係る、待機画面上で電卓機能画面が開かれた状態を示す図であり、図８（ｃ）は、実施形態に係る、電卓機能画面が最小化され、タスクバーに通知アイコンが配置された状態を示す図である。
【図９】図９（ａ）および（ｂ）は、実施形態に係る、取引明細画面において、画面上の数値を取得して計算を行うための操作が行われている状態を示す図であり、図９（ｃ）は、実施形態に係る、電卓機能画面に計算結果情報が表示された状態を示す図である。
【図１０】図１０（ａ）は、実施形態に係る、仮の記録名が記された状態の関係情報登録画面を示す図であり、図１０（ｂ）は、実施形態に係る、名称入力画面を示す図であり、図１０（ｃ）は、実施形態に係る、記録名と担当者名とが記された状態の関係情報登録画面を示す図である。
【図１１】図１１（ａ）は、実施形態に係る、計算履歴選択画面を示す図であり、図１１（ｂ）は、実施形態に係る、画面表示領域にサムネイル画像が表示された計算履歴表示画面を示す図であり、図１１（ｃ）は、実施形態に係る、画面表示領域に取得元画面の画像が表示された計算履歴表示画面を示す図である。
【図１２】図１２は、変更例１に係る、電卓機能実行処理の制御動作を示すフローチャートである。
【図１３】図１３は、変更例１に係る、電卓機能実行処理に含まれる画像選択計算処理の制御動作を示すフローチャートである。
【図１４】図１４（ａ）および（ｂ）は、変更例２に係る、取引明細画面を示す図である。
【発明を実施するための形態】
【００３１】
以下、本発明の実施形態について、図面を参照して説明する。
【００３２】
以下の実施形態において、出納機１が特許請求の範囲に記載の「貨幣処理装置」に対応する。また、管理コンピュータ２が特許請求の範囲に記載の「管理装置」に対応する。さらに、プリンタ５０が特許請求の範囲に記載の「情報出力部」および「印字部」に対応する。さらに、ディスプレイ４０１ａが特許請求の範囲に記載の「情報出力部」および「表示部」に対応する。さらに、タッチセンサ４０１ｂが特許請求の範囲に記載の「検出部」に対応する。さらに、端末制御部４０３が特許請求の範囲に記載の「制御部」に対応する。さらに、さらに、取引明細画面Ｓ３が特許請求の範囲に記載の「所定の画面」に対応する。
【００３３】
ただし、上記記載は、あくまで、特許請求の範囲の構成と実施形態の構成とを対応付けることを目的とするものであって、上記対応付けによって特許請求の範囲に記載の発明が実施形態の構成に何ら限定されるものではない。
【００３４】
図１は、本実施形態に係る、出納機１および出納機１が含まれる貨幣処理システム４の構成を示す図である。
【００３５】
出納機１は、銀行等の金融機関の店舗内に設置される。出納機１は、管理コンピュータ２に店舗内ＬＡＮ等のネットワーク回線３を介して通信可能に接続される。出納機１は、管理コンピュータ２とともに店舗内に構築された貨幣処理システム４を構成する。貨幣処理システム４には、これら構成の他、金融業務に関係する取引に利用される他の機器、たとえば、窓口カウンタに設置され、テラーにより操作される貨幣入出金機（図示せず）および窓口端末（図示せず）が含まれ得る。
【００３６】
管理コンピュータ２は、出納機１および他の機器の管理を行う。管理コンピュータ２は、これら機器から送られてきた各種データを一元管理するため、制御部２ａおよび記憶部２ｂを備える。また、管理コンピュータ２は、タッチパネルタイプのモニタディスプレイ２ｃを備える。
【００３７】
出納機１は、紙幣処理ユニット１０と、硬貨処理ユニット２０と、有価媒体処理ユニット３０と、操作端末４０と、プリンタ５０とを備える。操作端末４０と、紙幣処理ユニット１０、硬貨処理ユニット２０、有価媒体処理ユニット３０およびプリンタ５０とは、たとえば、通信ケーブル（図示せず）で接続される。なお、このような通信ケーブルによる有線方式ではなく、近距離無線通信等を利用した無線方式による接続がなされてもよい。
【００３８】
紙幣処理ユニット１０は、外郭を構成する筐体１１を備える。筐体１１の正面には、中央部に入金口１２および出金口１３が上下に並んで設けられ、上部に束出金口１４が設けられる。出金口１３は、上下開きのシャッター１３ａによって開閉され、束出金口１４は、左右開きのシャッター１４ａにより開閉される。さらに、筐体１１の正面には、下部に扉１５が設けられる。この扉１５は、後述する一時保留部、一括収納部および金種別収納部を含む引出ユニットの前面を構成し、扉１５ごと引出ユニットを筐体１１の外へ引き出すことにより、一時保留部、一括収納部および金種別収納部に対する紙幣の出し入れができる。
【００３９】
硬貨処理ユニット２０は、外郭を構成する筐体２０ａを備える。筐体２０ａの上面には、入金口２１が設けられる。また、筐体２０ａの正面には、左側に入金リジェクト口２２、バラ一括箱２３、返却箱２４、出金箱２５および袋取りシュート２６が設けられ、右側に包装硬貨出金口２７、包装硬貨一括箱２８および機外投出口２９が設けられる。バラ一括箱２３、返却箱２４、出金箱２５、袋取りシュート２６および包装硬貨一括箱２８は、筐体２０ａから前方に引き出し自在に構成される。
【００４０】
有価媒体処理ユニット３０は、外郭を構成する筐体３１を備える。筐体３１には、上面に投入口３２が設けられ、正面の上部に投出口３３が設けられる。投入口３２はシャッター３２ａにより開閉され、投出口３３はシャッター３３ａにより開閉される。また、筐体３１の正面には、投出口３３の下方に扉３４が設けられる。この扉３４は、後述する有価証券収納部、損券収納部および新券収納部を含む引出ユニットの前面を構成し、この扉３４ごと引出ユニットを筐体３１の外へ引き出すことにより、新券収納部に対して未使用の紙幣である新券の出し入れが行える。
【００４１】
硬貨処理ユニット２０の上部に、操作端末４０とプリンタ５０とが配置される。操作端末４０には、正面に操作表示部４０１が設けられる。操作表示部４０１は、各種の画面（画像）を表示するとともに、その画面へのタッチ操作を検出する。プリンタ５０は、入出金された紙幣や硬貨の枚数、金額等、各種取引処理の結果の情報を、ジャーナルとしてレシート用紙に印字する。なお、操作端末４０は、テラー、その他の係員が所有するタブレット端末５や携帯電話端末６との間で、近距離無線による通信を行うことができる。
【００４２】
図２（ａ）は、本実施形態に係る、紙幣処理ユニット１０の主たる構成を示すブロック図であり、図２（ｂ）は、本実施形態に係る、硬貨処理ユニット２０の主たる構成を示すブロック図であり、図２（ｃ）は、本実施形態に係る、有価媒体処理ユニット３０の主たる構成を示すブロック図である。図３は、本実施形態に係る、出納機１の主たる構成を示すブロック図である。
【００４３】
図２（ａ）に示すように、紙幣処理ユニット１０は、筐体１１の内部に、入金部１０１、出金部１０２、束出金部１０３、識別部１０４、一時保留部１０５、一括収納部１０６、金種別収納部１０７、束紙幣形成部１０８、金種別束収納部１０９、搬送部１１０、束搬送部１１１、機器記憶部１１２、機器制御部１１３などを備える。
【００４４】
入金部１０１には、バラ紙幣が投入され、出金部１０２には、バラ紙幣が投出される。バラ紙幣は、バラ状態の紙幣である。束出金部１０３には、束紙幣が投出される。束紙幣は、所定の枚数（たとえば、１００枚の）紙幣が帯封によって結束されることにより生成される。以下、束紙幣との区別などから「バラ紙幣」と称することが望ましい場合を除いて、バラ状態の紙幣を単に「紙幣」と称することとする。
【００４５】
識別部１０４は、バラ紙幣用の識別部と束紙幣用の識別部とを含む。バラ紙幣用の識別部では、バラ紙幣の属性（紙幣の真偽および金種、紙幣の表裏の向き等）が識別され、束紙幣用の識別部では、束紙幣の属性（金種等）の識別や帯封の状態の確認が行われる。また、識別部１０４は、バラ紙幣および束紙幣の計数を行う。
【００４６】
一時保留部１０５は、主に、入金処理において識別部１０４により属性が識別できた正常な紙幣を一時的に保留する。一括収納部１０６は、出金処理において識別部１０４により金種が識別できなかった紙幣や、金種別収納部１０７が割り当てられていない紙幣（２千円札など）や、対応する金種別収納部１０７に収納しきれなかったオーバーフロー紙幣などを収納する。金種別収納部１０７は、複数個設けられる。金種別収納部１０７には、識別部１０４により金種が識別された紙幣が、１万円、５千円、千円の金種ごとに振り分けて収納される。
【００４７】
束紙幣形成部１０８は、所定枚数（たとえば、１００枚）のバラ紙幣を結束して帯封をし、束紙幣（帯封紙幣）を形成する。金種別束収納部１０９は、複数個設けられる。金種別束収納部１０９には、束紙幣形成部１０８で形成された束紙幣が、金種ごとに振り分けて収納される。
【００４８】
搬送部１１０は、入金部１０１と、出金部１０２と、一時保留部１０５と、一括収納部１０６と、金種別収納部１０７と、束紙幣形成部１０８との間でバラ紙幣を搬送する。束搬送部１１１は、束紙幣形成部１０８と、金種別束収納部１０９と、束出金部１０３との間で束紙幣を搬送する。
【００４９】
機器記憶部１１２は、ＲＯＭ（Read Only Memory）、ＲＡＭ（Random Access Memory）、ハードディスク等の記憶媒体を備え、機器制御部１１３の動作プログラムを記憶し、また、機器制御部１１３の制御処理の際にワーク領域として利用される。機器制御部１１３は、ＣＰＵ（Central Processing Unit）等の演算回路を備え、機器記憶部１１２に記憶されたプログラムに従って、各部１０１〜１１１を制御する。
【００５０】
紙幣処理ユニット１０では、バラ紙幣の入金処理やバラ紙幣または束紙幣の出金処理が行われる。バラ紙幣の入金処理では、入金口１２を通じて入金部１０１に投入されたバラ紙幣が、一枚ずつ繰り出されて搬送部１１０で搬送され、その際に識別部１０４で紙幣の属性が識別される。識別部１０４での識別の結果、正常と見做された紙幣が一時保留部１０５に保留される。その後、係員による入金の確定操作が操作端末４０で行われると、一時保留部１０５内の紙幣が、その紙幣の金種に割り当てられた一括収納部１０６や金種別収納部１０７に収納される。なお、係員により返却操作が操作端末４０で行われた場合は、一時保留部１０５内の紙幣が出金部１０２に返却される。
【００５１】
バラ紙幣の出金処理では、係員によって、出金される紙幣の枚数や金額が指定される出金操作が操作端末４０で行われる。出金される金種に応じた金種別収納部１０７内のバラ紙幣が、一枚ずつ繰り出されて搬送部１１０で搬送され、その際に識別部１０４で紙幣の属性が識別される。識別部１０４での識別の結果、正常と見做された紙幣が、出金部１０２に投出される。出金部１０２内の紙幣は、出金口１３を通じて取り出される。
【００５２】
束紙幣の出金処理では、係員によって、出金される束紙幣の金種や束数が指定される出金操作が操作端末４０で行われる。出金される金種に応じた金種別束収納部１０９内の束紙幣が束搬送部１１１で搬送され、束出金部１０３に投出される。束出金部１０３内の束紙幣は、束出金口１４を通じて取り出される。
【００５３】
さらに、紙幣処理ユニット１０では、金種別収納部１０７内のバラ紙幣を束紙幣形成部１０８で束紙幣に変換して金種別束収納部１０９に収納することで、金種別収納部１０７内のバラ紙幣の枚数を減らす収集処理が自動または手動にて実行される。
【００５４】
図２（ｂ）に示すように、硬貨処理ユニット２０は、筐体２０ａの内部に、入金部２０１、出金部２０２、包装硬貨出金部２０３、識別部２０４、一時保留部２０５、金種別収納部２０６、包装硬貨形成部２０７、金種別包装硬貨収納部２０８、搬送部２０９、包装硬貨搬送部２１０、機器記憶部２１１、機器制御部２１２などを備える。
【００５５】
入金部２０１には、バラ硬貨が投入され、出金部２０２には、バラ硬貨が投出される。出金部２０２は、出金箱２５および袋取りシュート２６を含む。バラ硬貨は、バラ状態の硬貨である。包装硬貨出金部２０３には、包装硬貨が投出される。包装硬貨は、所定の枚数（たとえば、５０枚の）硬貨が包装材によって包装されることにより生成される。以下、包装硬貨との区別などから「バラ硬貨」と称することが望ましい場合を除いて、バラ状態の硬貨を単に「硬貨」と称することとする。
【００５６】
識別部２０４は、硬貨の属性（硬貨の真偽および金種等）を識別する。また、識別部２０４は、硬貨の計数を行う。一時保留部２０５は、主に、入金処理において識別部２０４により属性が識別できた正常な硬貨を一時的に保留する。金種別収納部２０６は、複数個設けられる。金種別収納部２０６には、識別部２０４により金種が識別された硬貨が、５００円、１００円、５０円、１０円、５円、１円の金種ごとに振り分けて収納される。
【００５７】
包装硬貨形成部２０７は、所定枚数（たとえば、５０枚）のバラ硬貨を棒状に重ねて包装材で包装し、包装硬貨を形成する。金種別包装硬貨収納部２０８は、複数個設けられる。金種別包装硬貨収納部２０８には、包装硬貨形成部２０７で形成された包装硬貨が、金種ごとに振り分けて収納される。
【００５８】
搬送部２０９は、入金部２０１と、出金部２０２と、一時保留部２０５と、金種別収納部２０６と、包装硬貨形成部２０７との間でバラ硬貨を搬送する。包装硬貨搬送部２１０は、包装硬貨形成部２０７と、金種別包装硬貨収納部２０８と、包装硬貨出金部２０３との間で包装硬貨を搬送する。
【００５９】
機器記憶部２１１は、ＲＯＭ、ＲＡＭ、ハードディスク等の記憶媒体を備え、機器制御部２１２の動作プログラムを記憶し、また、機器制御部２１２の制御処理の際にワーク領域として利用される。機器制御部２１２は、ＣＰＵ等の演算回路を備え、機器記憶部２１１に記憶されたプログラムに従って、各部２０１〜２１０を制御する。
【００６０】
硬貨処理ユニット２０では、バラ硬貨の入金処理やバラ硬貨または包装硬貨の出金処理が行われる。バラ硬貨の入金処理では、入金口２１を通じて入金部２０１に投入されたバラ硬貨が、一枚ずつ繰り出されて搬送部２０９で搬送され識別部２０４で識別される。識別の結果、正常な硬貨でない場合は、その硬貨が入金リジェクト口２２に返却され、正常な硬貨である場合は、その硬貨が一時保留部２０５に一時的に収納される。一時保留部２０５内のバラ硬貨は、操作端末４０で確定操作が行われると、その金種に割り当てられた金種別収納部２０６に収納され、操作端末４０で返却操作がなされると返却箱２４に返却される。金種別収納部２０６にバラ硬貨が収納しきれなくなった場合、オーバーフローしたバラ硬貨がバラ一括箱２３に収納される。
【００６１】
バラ硬貨の出金処理では、係員によって、出金される硬貨の枚数や金額が指定される出金操作が操作端末４０で行われる。出金される金種に応じた金種別収納部２０６内のバラ硬貨が、一枚ずつ繰り出されて搬送部２０９で搬送され、出金箱２５に払い出される。バラ硬貨を出金して袋詰めする場合には、筐体２０ａから引き出された袋取りシュート２６に現金袋が接続され、金種別収納部２０６内のバラ硬貨が袋取りシュート２６を通じて現金袋に投出される。
【００６２】
包装硬貨の出金処理では、係員によって、出金される包装硬貨の金種や本数が指定される出金操作が操作端末４０で行われる。出金される金種に応じた金種別包装硬貨収納部２０８内の包装硬貨が包装硬貨搬送部２１０で搬送され、包装硬貨出金部２０３に投出される。包装硬貨出金部２０３内の包装硬貨は、包装硬貨出金口２７を通じて取り出される。包装硬貨が大量に出金される場合には、機外投出口２９が利用される。この場合、機外投出口２９の下方に包装硬貨を受ける現金箱等が置かれる。
【００６３】
さらに、硬貨処理ユニット２０では、金種別収納部２０６内のバラ硬貨を包装硬貨形成部２０７で包装硬貨に変換して金種別包装硬貨収納部２０８に収納することで、金種別収納部２０６内のバラ硬貨の枚数を減らす収集処理が自動または手動にて実行される。なお、金種別包装硬貨収納部２０８に包装硬貨が収納しきれなくなった場合、オーバーフローした包装硬貨が包装硬貨一括箱２８に収納される。
【００６４】
有価媒体処理ユニット３０では、貨幣、有価証券などの有価媒体のうち、紙幣処理ユニット１０および硬貨処理ユニット２０で取り扱えない特定の有価媒体（以下、「特定有価媒体」と称する）の入金処理が行われる。特定有価媒体として、現在発行されていない紙幣である旧券、市場流通に適さない損券および汚れや破れによって紙幣処理ユニット１０で処理できない損傷券、および、小切手、手形などの特定の有価証券が挙げられる。以下、旧券、損券および損傷券を総称して「損券等」と称する。さらに、有価媒体処理ユニット３０では、新券の出金処理が行われる。
【００６５】
図２（ｃ）に示すように、有価媒体処理ユニット３０は、筐体３１の内部に、投入部３０１、投出部３０２、読取部３０３、識別部３０４、一時保留部３０５、有価証券収納部３０６、損券収納部３０７、新券収納部３０８、搬送部３０９、機器記憶部３１０、機器制御部３１１などを備える。
【００６６】
投入部３０１には、特定有価媒体が投入される。投出部３０２には、損券等や新券が投出される。読取部３０３は、特定有価媒体の表裏の券面の画像を読み取り、その画像データを取得する。識別部３０４は、新券の属性（金種等）を識別する。また、識別部３０４は、新券の計数を行う。
【００６７】
一時保留部３０５は、読取部３０３で券面の画像が読み取られた特定有価媒体を一時的に保留する。有価証券収納部３０６には、特定の有価証券が収納される。損券収納部３０７には、損券等が収納される。新券収納部３０８は、複数個設けられる。各新券収納部３０８には、１万円、５千円、千円の金種毎に新券が収納される。
【００６８】
搬送部３０９は、投入部３０１から一時保留部３０５へ特定有価媒体を搬送するとともに、一時保留部３０５から有価証券収納部３０６や損券収納部３０７へ特定有価媒体を搬送する。また、搬送部３０９は、損券収納部３０７から投出部３０２へ損券等を搬送するとともに、新券収納部３０８から投出部３０２へ新券を搬送する。
【００６９】
機器記憶部３１０は、ＲＯＭ、ＲＡＭ、ハードディスク等の記憶媒体を備え、機器制御部３１１の動作プログラムを記憶し、また、機器制御部３１１の制御処理の際にワーク領域として利用される。機器制御部３１１は、ＣＰＵ等の演算回路を備え、機器記憶部３１０に記憶されたプログラムに従って、各部３０１〜３０９を制御する。
【００７０】
特定有価媒体の入金処理では、投入口３２を通じて投入部３０１に投入された特定有価媒体が、搬送部３０９で搬送され、読取部３０３で券面の画像が読み取られた後に一時保留部３０５に保留される。読み取られた損券等の画像データが操作端末４０に送られる。操作端末４０において、係員により券種、金種等、券面の画像以外の入金データが入力され、それが終了すると承認操作がなされる。その後、承認操作に基づいて、一時保留部３０５から特定有価媒体が繰り出され、特定有価媒体が特定の有価証券であれば、有価証券収納部３０６に収納され、特定有価媒体が損券等であれば、損券収納部３０７に収納される。
【００７１】
新券の出金処理では、係員によって、出金される新券の金種や枚数が指定される出金操作が操作端末４０で行われる。出金される金種に応じた新券収納部３０８内の新券が搬送部３０９で搬送され、識別部３０４での金種の識別後に投出部３０２に投出される。投出部３０２内の新券は、投出口３３を通じて取り出される。
【００７２】
図３に示すように、操作端末４０は、上述した操作表示部４０１の他、端末記憶部４０２、端末制御部４０３、通信部４０４などを備える。
【００７３】
操作表示部４０１は、ディスプレイ４０１ａと、ディスプレイ４０１ａに重ねられるタッチセンサ４０１ｂとで構成される。ディスプレイ４０１ａは、たとえば、液晶ディスプレイや有機ＥＬディスプレイであり、各種の画面（画像）を表示する。タッチセンサ４０１ｂは、たとえば、静電容量タイプのタッチセンサであり、ディスプレイ４０１ａが指等によりタッチされると、そのタッチ位置がタッチセンサ４０１ｂによって検出される。
【００７４】
端末記憶部４０２は、ＲＯＭ、ＲＡＭやハードディスク等の記憶媒体を備え、端末制御部４０３の動作プログラムを記憶し、また、端末制御部４０３の制御処理の際にワーク領域として利用される。さらに、端末記憶部４０２は、計算結果記録部４０２ａを含む。計算結果記録部４０２ａには、後述する電卓機能実行処理での計算結果に係る各種の情報（データ）が記録される。
【００７５】
端末制御部４０３は、ＣＰＵ等の演算回路を備え、端末記憶部４０２に記憶されたプログラムに従って、操作表示部４０１、通信部４０４、プリンタ５０等を制御する。また、端末制御部４０３は、紙幣処理ユニット１０の機器制御部１１３、硬貨処理ユニット２０の機器制御部２１２および有価媒体処理ユニット３０の機器制御部３１１との間で、各種情報（指令を含む）のやり取りを行う。
【００７６】
通信部４０４は、管理コンピュータ２等の通信部（図示せず）との間で、ネットワーク回線３を介した信号（情報）の送受信を行う。
【００７７】
さて、出納機１には、操作端末４０の操作表示部４０１（ディスプレイ４０１ａ）に表示された画面上から金額等の数値を取得して加減算を行うことができる電卓機能が備えられている。
【００７８】
この電卓機能は、たとえば、次のような場合に用いられる。
【００７９】
出納機１では、上述した入出金等の取引処理の他に、出納機１が実際に保有する紙幣、束紙幣、硬貨、バラ硬貨、損券等および新券の数量が、出納機１で管理されたこれらの在高データと一致するかを精査する精査処理が行われる。在高データは、たとえば、操作端末４０の端末記憶部４０２で管理される。
【００８０】
ある金種の貨幣、たとえば、１万円の紙幣について精査処理が行われた結果、違算が生じた場合には、係員によって違算の原因追究が行われる。この違算の原因追究に当たり、係員は、出納機１の在高データ、即ち演算結果に誤りがないかを確認する必要がある。この場合に、係員は、精査の対象期間内に行われた取引処理の中から１万円の紙幣が含まれる取引処理を１件１件当たり、その取引処理での１万円の紙幣の金額を抜き出し、これら金額を加減算して合計金額を得る。その取引処理で入金された紙幣は加算対象となり、出金された紙幣は減算対象となる。係員は、計算により得られた合計金額と、前回精査時の在高データと今回精査時の在高データの差額とを比べ、一致していれば出納機１の演算結果に誤りがないと判断し、一致していなければ演算結果に誤りが生じていると判断する。
【００８１】
以下、電卓機能に係る電卓機能実行処理について、図４ないし図１１を参照して詳細に説明する。電卓機能実行処理は、端末制御部４０３により実行される。
【００８２】
図４は、本実施形態に係る、電卓機能実行処理の制御動作を示すフローチャートである。図５は、本実施形態に係る、電卓機能実行処理に含まれる画像選択計算処理の制御動作を示すフローチャートである。図６は、本実施形態に係る、電卓機能実行処理に含まれる計算結果登録処理の制御動作を示すフローチャートである。図７は、本実施形態に係る、電卓機能実行処理に含まれる計算履歴表示処理の制御動作を示すフローチャートである。図８（ａ）は、本実施形態に係る、待機画面Ｓ１のタスクバーＴ１に電卓アイコンＩＣ１が配置された状態を示す図であり、図８（ｂ）は、本実施形態に係る、待機画面Ｓ１上で電卓機能画面Ｓ２が開かれた状態を示す図であり、図８（ｃ）は、本実施形態に係る、電卓機能画面Ｓ２が最小化され、タスクバーＴ１に通知アイコンＩＣ３が配置された状態を示す図である。図９（ａ）および（ｂ）は、本実施形態に係る、取引明細画面Ｓ３において、画面上の数値を取得して計算を行うための操作が行われている状態を示す図であり、図９（ｃ）は、本実施形態に係る、電卓機能画面Ｓ２に計算結果情報Ｆ２が表示された状態を示す図である。図１０（ａ）は、本実施形態に係る、仮の記録名が記された状態の関係情報登録画面Ｓ４を示す図であり、図１０（ｂ）は、本実施形態に係る、名称入力画面Ｓ５を示す図であり、図１０（ｃ）は、本実施形態に係る、記録名と担当者名とが記された状態の関係情報登録画面Ｓ４を示す図である。図１１（ａ）は、本実施形態に係る、計算履歴選択画面Ｓ６を示す図であり、図１１（ｂ）は、本実施形態に係る、画面表示領域Ｒ５にサムネイル画像Ｐ１が表示された計算履歴表示画面Ｓ７を示す図であり、図１１（ｃ）は、本実施形態に係る、画面表示領域Ｒ５に取得元画面の画像Ｐ２が表示された計算履歴表示画面Ｓ７を示す図である。
【００８３】
図８（ａ）に示すように、操作表示部４０１に表示される画面、たとえば、待機画面Ｓ１には、下端部にタスクバーＴ１が含まれる。タスクバーＴ１は、操作表示部４０１の画面が遷移しても、下端部に配置されたままとなる。タスクバーＴ１には、電卓アイコンＩＣ１が、その他の起動アイコンＩＣ２とともに含まれる。係員は、電卓機能を利用する場合に、電卓アイコンＩＣ１をタッチする操作を行う。
【００８４】
図４を参照し、電卓アイコンＩＣ１がタッチされると（Ｓ１０１：ＹＥＳ）、端末制御部４０３は、操作表示部４０１（ディスプレイ４０１ａ）に、たとえば待機画面Ｓ１に重なるようにして電卓機能画面Ｓ２を表示させる（Ｓ１０２）。
【００８５】
図８（ｂ）に示すように、電卓機能画面Ｓ２には、計算結果に係る結果情報（以下、「計算結果情報」と称する）が表示される計算結果表示領域Ｒ１が含まれる。計算結果表示領域Ｒ１には、ここに表示された計算結果情報を印字させるための操作に用いられる印字ボタンＢ１が設けられる。
【００８６】
電卓機能には、数値を手入力して計算を行うことができる手入力計算機能が含まれる。この手入力計算機能を行うために、電卓機能画面Ｓ２には、数字等のテンキーからなるテンキーパッドＫ１と、テンキーパッドＫ１で入力された数値が表示される表示ボックスＤ１とが含まれる。係員が、テンキーパッドＫ１を用いた手入力により計算を行うと、計算結果情報が計算結果表示領域Ｒ１に表示される。
【００８７】
電卓機能には、上記の手入力計算機能に加えて、操作表示部４０１に表示された画面に含まれる金額などの数値（数値の画像）の中から任意の数値を選択して計算を行うことができる画像選択計算機能と、この画像選択計算機能による計算結果の履歴を表示させることができる計算結果履歴表示機能とが含まれる。電卓機能画面Ｓ２には、画像選択計算機能の開始操作に用いられる画像選択計算ボタンＢ２と、計算結果履歴表示機能の開始操作に用いられる履歴表示ボタンＢ３とが含まれる。
【００８８】
さらに、電卓機能画面Ｓ２には、電卓機能の終了操作に用いられる終了ボタンＢ４が含まれる。
【００８９】
なお、電卓機能画面Ｓ２が表示されているときには、タスクバーＴ１から電卓アイコンＩＣ１が消される。
【００９０】
係員は、画像選択計算機能を利用するときに画像選択計算ボタンＢ２を押す。画像選択計算ボタンＢ２が押されると（Ｓ１０３：ＹＥＳ）、端末制御部４０３は、画像選択計算処理を実行する（Ｓ１０４）。
【００９１】
図５を参照して、まず、端末制御部４０３は、電卓機能画面Ｓ２を最小化して、画面上からの数値の指定を待つ状態とする（Ｓ２０１）。「電卓機能画面Ｓ２の最小化する」とは、図８（ｃ）に示すように、電卓機能画面Ｓ２を消して、画像選択計算機能による計算中であることを通知する通知アイコンＩＣ３をタスクバーＴ１に配置させることである。通知アイコンＩＣ３には、たとえば、「計算中」との文字と、計算対象として取得された数値の個数（初期値は０）とが記される。
【００９２】
電卓機能画面Ｓ２の最小化を行うと、次に、端末制御部４０３は、操作表示部４０１に表示された画面上において、画像を認識する範囲を指定する範囲指定操作がなされたか否かを監視する（Ｓ２０２）。範囲指定操作は、たとえば、画面上、即ち操作表示部４０１のディスプレイ４０１ａ上に指等でタッチし、そのまま指等をスライドさせるスライド操作とすることができる。この指定範囲操作は、操作表示部４０１のタッチセンサ４０１ｂにより検出される。
【００９３】
たとえば、図９（ａ）に示すように、取引処理の明細情報Ｆ１（取引処理の種別、貨幣の金種、金種別の金額、合計金額等）が記された取引明細画面Ｓ３の中に含まれる数値（特定の金種の金額、合計金額等）を計算対象とする場合、係員は、取引明細の履歴を表示させる所定の操作を行って操作表示部４０１に取引明細画面Ｓ３を表示させる。そして、係員は、計算対象となる数値を選択するために、スライド操作によって計算対象の数値が含まれる画面上の範囲を指定する。
【００９４】
範囲指定操作がなされると（Ｓ２０２：ＹＥＳ）、端末制御部４０３は、指定された範囲（以下、「指定範囲」と称する）に含まれる画像内容を認識する（Ｓ２０３）。この画像内容の認識には、たとえば、光学文字認識（ＯＣＲ）等の既知の認識方法が用いられる。
【００９５】
認識の結果、画像内容が数値であれば（Ｓ２０４：ＹＥＳ）、端末制御部４０３は、指定範囲にハイライト表示Ｄ２を行う（Ｓ２０５）。一方、画像内容が、文字や図柄など、数値でない情報であれば、指定範囲にハイライト表示Ｄ２を行わずにＳ２０２の処理に戻り、新たな範囲指定操作を待つ。このとき、数値以外の情報が指定された旨が、表示や音声によって報知されてもよい。
【００９６】
指定範囲にハイライト表示Ｄ２が行われると、端末制御部４０３は、加算操作がなされたか否か、および、減算操作がなされたか否かを監視する（Ｓ２０６、Ｓ２０７）。図９（ｂ）に示すように、加算操作は、たとえば、画面上の指定範囲内、即ちハイライト表示Ｄ２内を指等で右方向に掃うスワイプ操作（図の実線矢印）とすることができ、減算操作は、たとえば、画面上のハイライト表示Ｄ２内を指等で左方向に掃うスワイプ操作（図の破線矢印）とすることができる。なお、図９（ｂ）では、矢印が見やすいように、ハイライト表示Ｄ２が破線の四角形で表現されている。
【００９７】
加算操作がなされた場合（Ｓ２０６：ＹＥＳ）、端末制御部４０３は、画面から範囲指定によって取得された数値を加算する（Ｓ２０８）。取得された数値が一つ目である場合は、０の値にその数値が加算され、取得された数値が二つ目以降である場合は、それまでの計算結果となる数値にその数値が加算される。一方、減算操作がなされた場合（Ｓ２０６：ＮＯ→Ｓ２０７：ＹＥＳ）、端末制御部４０３は、画面から取得された数値を減算する（Ｓ２０９）。取得された数値が一つ目である場合は、０の値からその数値が減算され、取得された数値が二つ目以降である場合は、それまでの計算結果となる数値からその数値が減算される。そして、端末制御部４０３は、図９（ｂ）に示すように、通知アイコンＩＣ３において、数値の取得個数を更新させる（Ｓ２１０）。さらに、端末制御部４０３は、数値の取得元となる画面（以下、「取得元画面」と称する）の画像をキャプチャーする（Ｓ２１１）。キャプチャーされた取得元画面の画像は、端末記憶部４０２のバッファ領域内に一時記憶される。このとき、その取得元画面の画像のサムネイル画像が作成されて、そのサムネイル画像も一時記憶される。
【００９８】
その後、端末制御部４０３は、Ｓ２０２の処理に戻り、新たな範囲指定操作を待つ。係員は、同じ画面内から、あるいは、別の画面を操作表示部４０１に表示させて、先と同様な操作手順で次の計算対象となる数値を取得する。端末制御部４０３によりＳ２０２ないしＳ２１１の処理が実行され、新たに取得された数値の加算または減算、通知アイコンＩＣ３での数値の取得個数の更新、および取得元画面のキャプチャーが行われる。
【００９９】
係員は、必要な数値を画面から全て取得してそれらの数値を対象とする計算を完了すると確認操作を行う。また、計算途中でそれまでの計算結果を確認したい場合に確認操作を行う。確認操作は、たとえば、通知アイコンＩＣ３にタッチする操作とすることができる。
【０１００】
確認操作がなされると（Ｓ２１２：ＹＥＳ）、端末制御部４０３は、再び、電卓機能画面Ｓ２を立ち上げ、図９（ｃ）に示すように、計算結果表示領域Ｒ１に計算結果情報Ｆ２を表示させる（Ｓ２１３）。計算結果表示領域Ｒ１には、計算結果情報Ｆ２として、たとえば、各計算対象の数値と、計算結果（計）が表示される。このとき、減算された数値にはマイナス符号が付される。計算結果表示領域Ｒ１での計算結果情報Ｆ２の表示により、係員は、今回の計算結果を確認することができる。
【０１０１】
計算結果情報Ｆ２が表示された電卓機能画面Ｓ２には、画像選択計算ボタンＢ２に替えて、計算継続ボタンＢ５と計算完了ボタンＢ６が含まれる。係員は、計算を継続する場合には計算継続ボタンＢ５を押し、計算を完了した場合には計算完了ボタンＢ６を押す。
【０１０２】
計算継続ボタンＢ５による継続操作がなされると（Ｓ２１４：ＹＥＳ）、Ｓ２０１の処理へと戻り、端末制御部４０３は、電卓機能画面Ｓ２を最小化させた後、範囲指定操作を待つ（Ｓ２０１、Ｓ２０２）。一方、計算完了ボタンＢ６による完了操作がなされると（Ｓ２１５：ＹＥＳ）、端末制御部４０３は、画像選択計算処理を終える。
【０１０３】
なお、図５のフローチャートでは省略されているが、計算結果表示領域Ｒ１内の印字ボタンＢ１が押されると、端末制御部４０３は、プリンタ５０を作動させ、計算結果情報Ｆ２をレシート用紙に印字して出力させる。
【０１０４】
図４に戻り、端末制御部４０３は、画像選択計算処理が終了すると計算結果登録処理を実行する（Ｓ１０５）。
【０１０５】
図６を参照して、端末制御部４０３は、まず、操作表示部４０１に、そのときに表示されていた画面、たとえば取引明細画面Ｓ３に重なるようにして関係情報登録画面Ｓ４を表示させる（Ｓ３０１）。関係情報登録画面Ｓ４は、計算結果情報Ｆ２とともに計算結果記録部４０２ａに記録される関係情報の一つである記録名と担当者名とを登録するための画面である。関係情報には、その他、登録順に付与される履歴番号、登録日等が含まれる。
【０１０６】
図１０（ａ）に示すように、関係情報登録画面Ｓ４には、今回の計算結果情報Ｆ２を登録するときの記録名を仮の記録名から変更するときに用いられる記録名登録ボタンＢ７と、記録名が表示される記録名表示欄Ｒ２と、今回の計算の担当者名を登録するときに用いられる担当者登録ボタンＢ８と、担当者名が表示される担当者表示欄Ｒ３と、記録名の変更や担当者名の登録が完了したときに操作される完了ボタンＢ９とが含まれる。記録名表示欄Ｒ２には、仮の記録名として、たとえば履歴番号が表示される。担当者表示欄Ｒ３には、最初は何も表示されない。なお、係員が、自身のＩＤによるログインを行って操作端末４０の操作を行っている場合、ＩＤから取得した係員の名前を、担当者名として担当者表示欄Ｒ３に表示させるようにしてもよい。
【０１０７】
係員は、記録名を変更する場合に記録名登録ボタンＢ７を押し、担当者名を登録する場合に担当者登録ボタンＢ８を押す。
【０１０８】
記録名登録ボタンＢ７が押されると（Ｓ３０２：ＹＥＳ）、端末制御部４０３は、操作表示部４０１に関係情報登録画面Ｓ４に替えて名称入力画面Ｓ５を表示させる（Ｓ３０３）。図１０（ｂ）に示すように、名称入力画面Ｓ５には、文字入力に用いられるキーボードＫ２と、キーボードＫ２で入力された文字が表示される表示ボックスＤ３と、記録名や担当者名の入力が完了したしたときに操作される完了ボタンＢ１０とが含まれる。係員は、キーボードＫ２により新たな記録名を入力すると、完了ボタンＢ１０を押す。記録名の入力が完了して完了ボタンＢ１０が押されると（Ｓ３０４：ＹＥＳ）、端末制御部４０３は、入力された新たな記録名を登録する（Ｓ３０５）。
【０１０９】
一方、担当者登録ボタンＢ８が押された場合も（Ｓ３０６：ＹＥＳ）、端末制御部４０３は、操作表示部４０１に名称入力画面Ｓ５を表示させる（Ｓ３０７）。係員は、キーボードＫ２により担当者名を入力すると、完了ボタンＢ１０を押す。担当者名の入力が完了して完了ボタンＢ１０が押されると（Ｓ３０８：ＹＥＳ）、端末制御部４０３は、入力された担当名を登録する（Ｓ３０９）。
【０１１０】
図１０（ｃ）に示すように、関係情報登録画面Ｓ４には、登録された記録名が記録名表示欄Ｒ２に表示され、登録された担当者名が担当者表示欄Ｒ３に表示される。記録名と担当者名の登録が完了すると、係員は、関係情報登録画面Ｓ４上の完了ボタンＢ９を押す。
【０１１１】
完了ボタンＢ９が押されると（Ｓ３１０：ＹＥＳ）、端末制御部４０３は、計算結果情報Ｆ２を、キャプチャーした取得元画面の画像、そのサムネイル画像および記録名等の関係情報とともに計算結果記録部４０２ａに記録させる（Ｓ３１１）。
【０１１２】
図４に戻り、端末制御部４０３は、計算結果登録処理が終了すると、Ｓ１０２の処理に戻って、図８（ｂ）のような画像選択計算ボタンＢ２が含まれた電卓機能画面Ｓ２を操作表示部４０１に表示させる。そして、端末制御部４０３は、画像選択計算ボタンＢ２が押されたか否かを監視する（Ｓ２０２）。
【０１１３】
操作表示部４０１に電卓機能画面Ｓ２が表示されていとき、端末制御部４０３は、画像選択計算ボタンＢ２の監視に加えて、履歴表示ボタンＢ３が押されたか否か、および、終了ボタンＢ４が押されたか否かも監視する（Ｓ１０６、Ｓ１０８）。
【０１１４】
係員は、計算結果履歴表示機能を利用して計算結果の履歴、即ち過去の計算結果を確認（参照）したい場合に、履歴表示ボタンＢ３を押す。履歴表示ボタンＢ３が押されると（Ｓ１０６：ＹＥＳ）、端末制御部４０３は、計算履歴表示処理を実行する（Ｓ１０７）
図７を参照して、端末制御部４０３は、まず、計算履歴選択画面Ｓ６を操作表示部４０１に表示させる。図１１（ａ）に示すように、計算履歴選択画面Ｓ６には、計算結果記録部４０３ａに記録された計算結果情報Ｆ２に紐付けられた記録名が並べられてなる記録名一覧Ｌ１が含まれる。各記録名の傍らには、各記録名を選択するための選択ボタンＢ１１が配置される。さらに、計算履歴選択画面Ｓ６には、戻しボタンＢ１２が含まれる。
【０１１５】
係員は、何れかの記録名に対応する選択ボタンＢ１１を押し、所望の計算結果を選択する。
【０１１６】
選択ボタンＢ１１によって、記録名、即ち確認したい計算結果の選択が行われると（Ｓ４０２：ＹＥＳ）、端末制御部４０３は、計算履歴表示画面Ｓ７を操作表示部４０１に表示させる（Ｓ４０３）。図１１（ｂ）に示すように、計算履歴表示画面Ｓ７には、計算結果表示領域Ｒ４と、画面表示領域Ｒ５と、印字ボタンＢ１３と、戻しボタンＢ１４とが含まれる。端末制御部４０３は、選択された記録名に紐付けられた計算結果情報Ｆ２、関係情報Ｆ３およびサムネイル画像Ｐ１を計算結果記録部４０２ａから読み出し、計算結果表示領域Ｒ４に計算結果情報Ｆ２と関係情報Ｆ３とを表示させ、画面表示領域Ｒ５にサムネイル画像Ｐ１を表示させる。
【０１１７】
印字ボタンＢ１３が押されると（Ｓ４０４：ＹＥＳ）、端末制御部４０３は、プリンタ５０を作動させ、計算結果表示領域Ｒ４の計算結果情報Ｆ２および関係情報Ｆ３をレシート用紙に印字して出力させる（Ｓ４０５）。また、指等でのタッチにより、画面表示領域Ｒ５の何れかのサムネイル画像Ｐ１が選択されると（Ｓ４０６：ＹＥＳ）、端末制御部４０３は、選択されたサムネイル画像Ｐ１に対応する取得元画面の画像Ｐ２を、サムネイル画像Ｐ１に替えて画面表示領域Ｒ５に表示させる（Ｓ４０７）。計算結果表示領域Ｒ４において、画面表示領域Ｒ５に表示された取得元画面の画像Ｐ２に対応する数値には、ハイライト表示Ｄ４が行われる。こうして、係員は、計算結果をもたらした数値に対応する取得元画面を確認することができる。
【０１１８】
係員は、計算結果の確認を終えると、計算履歴表示画面Ｓ７上の戻しボタンＢ１４を押す。戻しボタンＢ１４が押されると（Ｓ４０８：ＹＥＳ）、端末制御部４０３は、操作表示部４０１の表示を計算履歴選択画面Ｓ６へ戻す（Ｓ４０１）。また、計算履歴選択画面Ｓ６上で戻しボタンＢ１２が押されると（Ｓ４０９：ＹＥＳ）、端末制御部４０３は、計算履歴表示処理を終了させて、操作表示部４０１の表示を電卓機能画面Ｓ２へ戻す（Ｓ１０２）。
【０１１９】
係員は、電卓機能を終了させる場合、電卓機能画面Ｓ２上の終了ボタンＢ４を押す。終了ボタンＢ４が押されると（Ｓ１０８：ＹＥＳ）、端末制御部４０３は、電卓機能画面Ｓ２を閉じる（Ｓ１０９）。電卓機能画面Ｓ２が重なっていた画面のタスクバーＴ１には、再び、電卓アイコンＩＣ１が配置される。端末制御部４０３は、電卓アイコンＩＣ１へのタッチ操作の監視を再開させる（Ｓ１０１）。
【０１２０】
＜実施形態の効果＞
本実施形態によれば、以下の効果が奏され得る。
【０１２１】
（１）取引明細画面Ｓ３等、操作表示部４０１に表示された画面に含まれた数値を対象として計算を行う場合に、電卓等に数値を手入力しなくても、画面上の数値を指定することで、その数値を計算対象として取得できるので、人為的な数値の入力ミスを低減できる。また、入力ミスの心配が減るので係員の精神的な負担も小さくなる。
【０１２２】
（２）係員に指定された指定範囲に含まれる情報が数値でない場合は、その情報を計算対象として取得しないので、計算処理に予期せぬ不具合等が発生しにくい。
【０１２３】
（３）係員は、電卓機能画面Ｓ２の履歴表示ボタンＢ３を操作することにより、過去の計算結果情報Ｆ２を操作表示部４０１に表示させることができるので、必要なときに過去の計算結果情報Ｆ２を参照できる。
【０１２４】
（４）係員は、過去の計算結果に関し、計算履歴表示画面Ｓ７上において、計算対象の数値に対応する取得元画面の画像Ｐ２を確認することができる。これにより、たとえば、係員は、計算対象の各数値が如何なる取引処理に関するものであったかを把握できる。
【０１２５】
以上、本発明の実施形態について説明したが、本発明は、上記実施形態によって何ら制限されるものではなく、また、本発明の実施形態も、以下に示す通り、上記以外に種々の変更が可能である。
【０１２６】
＜変更例１＞
図１２は、変更例１に係る、電卓機能実行処理の制御動作を示すフローチャートである。図１３は、変更例１に係る、電卓機能実行処理に含まれる画像選択計算処理の制御動作を示すフローチャートである。なお、本変更例では、図４に示す上記実施形態のＳ１０１処理に替えてＳ１２１の処理が実行され、図５に示す上記実施形態のＳ２１２ないしＳ２１５の処理に替えてＳ２２１ないしＳ２２３の処理が実行される。
【０１２７】
上記実施形態では、電卓アイコンＩＣ１へタッチする操作に基づいて電卓機能が起動したが、本変更例では、取引処理が実行されたことに基づいて電卓機能が起動する。即ち、本変更例では、端末制御部４０３は、取引処理が実行されたことに基づいて、画像選択計算ボタンＢ２が押されさえすれば、画像選択計算処理を開始でき、画面上での指定範囲の検出（数値の取得）ができるような状態にする。
【０１２８】
図１２および図１３を参照して、端末制御部４０３は、１件目の取引処理が終了したか否かを監視する（Ｓ１２１）。係員は、取引処理を行う場合に、操作表示部４０１の画面を、図８（ａ）に示した待機画面Ｓ１からログイン操作によってメニュー画面（図示せず）に遷移させる。メニュー画面には、入金、出金等の取引の種別に応じたアイコンが含まれる。何れかのアイコンが押されることで、そのアイコンに対応する種別の取引処理を開始するための取引操作画面（図示せず）が操作表示部４０１に表示される。係員は、同種の取引処理が複数ある場合、これら一連の取引処理を順番に実行することになる。この際、１件目の取引処理が終了すると、端末制御部４０３は、１件目の取引処理が終了したと判定する。
【０１２９】
１件目の取引処理が終了すると（Ｓ１２１：ＹＥＳ）、端末制御部４０３は、上記実施形態と同様、図８（ｂ）のような電卓機能画面Ｓ２を操作表示部４０１に表示させ、画像選択計算ボタンＢ２が押されると、画像選択計算処理を実行する（Ｓ１０２〜Ｓ１０４）。
【０１３０】
１件の取引処理が終了する毎に、操作表示部４０１には、図９（ａ）の取引明細画面Ｓ３と同様な取引明細画面（図示せず）が表示される。画像選択計算処理が開始されて、電卓機能画面Ｓ２が最小化すると、係員は、取引明細画面上で、合計金額等、計算を行いたい数値が含まれた範囲を指定し、加算操作または減算操作を行う。
【０１３１】
端末制御部４０３は、上記実施形態と同様、指定範囲に含まれる数値を取得して、その数値を用いた計算を行うとともに、その数値に対応する取得元画面の画像Ｐ２のキャプチャーを行う（Ｓ２０２〜Ｓ２１１）。
【０１３２】
係員は、２件目以降の取引処理においても、その取引処理が終了する毎に、取引明細画面で数値の指定と加減算の操作を行う。これに基づき、Ｓ２０２ないしＳ２１１の処理が繰り返される。
【０１３３】
端末制御部４０３は、範囲指定操作がなされたか否かの監視とともに、一連の取引処理が終了したか否かの監視を行う（Ｓ２２１）。係員は、一連の取引処理を終了すると、操作表示部４０１の画面をメニュー画面に戻す所定の終了操作を行う。これにより、端末制御部４０３は、一連の取引処理が終了したと判定する。
【０１３４】
一連の取引処理が終了すると（Ｓ２２１：ＹＥＳ）、端末制御部４０３は、図９（ｃ）のような電卓機能画面Ｓ２を立ち上げて、その計算結果表示領域Ｒ１に、一連の取引処理での計算結果情報Ｆ２を表示させる（Ｓ２２２）。そして、電卓機能画面Ｓ２上の計算完了ボタンＢ６による完了操作がなされると（Ｓ２２３：ＹＥＳ）、端末制御部４０３は、画像選択計算処理を終える。
【０１３５】
本変更例の構成によれば、取引処理が実行されたことに基づいて、これら取引処理に係る数値を対象とした計算が可能な状態となるので、係員は、一連の取引処理における特定金種の金額や合計金額などを総計する計算を円滑に行うことが可能となる。
【０１３６】
なお、上記の例では、１件目の取引処理が終了したときに、電卓機能が起動して電卓機能画面Ｓ２が立ち上がったが、１件目の取引処理が開始されるときに、電卓機能が起動して電卓機能画面Ｓ２が立ち上がるようにされてもよい。要は、取引処理の実行に基づいて、電卓機能が起動すればよい。また、電卓機能が起動したときに電卓機能画面Ｓ２が立ち上がらず、画像選択計算ボタンＢ２が押されるのを待たずに、画像選択計算処理が開始されてもよい。
【０１３７】
＜変更例２＞
図１４（ａ）および（ｂ）は、変更例２に係る、取引明細画面Ｓ３を示す図である。
【０１３８】
本変更例では、端末制御部４０３は、操作表示部４０１に表示される画面に取引処理の明細情報Ｆ１が載せられる場合に、計算対象となる数値が取得された明細情報Ｆ１を、計算対象となる数値が取得されていない明細情報Ｆ１と異なる表示態様で画面に載せる。たとえば、端末制御部４０３は、複数の明細情報Ｆ１が載せられた取引明細画面Ｓ３において、図１４（ａ）のように、計算対象となる数値が取得された明細情報Ｆ１を囲う四角い枠の表示Ｄ５を行ったり、図１４（ｂ）のように、計算対象となる数値が取得された明細情報Ｆ１に網掛け表示Ｄ６を行ったりする。
【０１３９】
このような構成とすれば、係員は、画面上において、計算対象となる数値が取得された明細情報Ｆ１を識別することができる。
【０１４０】
＜その他の変更例＞
上記実施形態では、画面上で範囲が指定され、その指定範囲に含まれる数値が取得（選択）されるようにした。しかしながら、画面上で位置が指定され、その位置にある数値が取得されるようにしてもよい。この場合、その位置にある数値とは、数値が複数桁の数である場合、個々の桁の数ではなく、複数桁全体の数ということになる。
【０１４１】
また、上記実施形態において、数値が加算される場合は、それに対応する音、たとえば「チャリン」という音が鳴らされ、数値が減算される場合は、それに対応する音、たとえば「ヒュー」という音が鳴らされるようにしてもよい。これにより、操作者は、選択された数値が加算されたのか減算されたのかを明確に認識することができる。
【０１４２】
さらに、上記実施形態では、取得した数値を加算するか減算するかがスワイプ操作の方向により決定されるようにした。しかしながら、加算や減算の操作は、このようなスワイプ操作に限られない。たとえば、範囲指定により数値が選択されると、画面上に「＋」のボタンおよび「−」のボタンが表示され、「＋」のボタンが押されることにより加算が行われ、「−」のボタンが押されることにより減算が行われるようにしてもよい。
【０１４３】
さらに、上記実施形態において、画面に十分な表示スペースがあれば、計算中、計算結果に係る結果情報Ｆ２（計算対象の数値のリストや合計）を常に画面上に表示させておいてもよい。あるいは、画面に十分な表示スペースがない場合に、各数値の加算や減算が行われる度に結果情報Ｆ２が、邪魔にならない程度の時間だけ、一時的に画面上に表示されるようにしてもよい。
【０１４４】
さらに、上記実施形態において、同じ取引明細画面Ｓ３から先に取得された数値と同じ数値を含む範囲指定がなされた場合、所定の警告表示や所定の警告音による警告がなされてもよい。これにより、同じ数値による重複計算を防止できる。また、警告後、確認操作を受け付けたことを条件に、再指定された数値が取得されるようにしてもよい。
【０１４５】
さらに、上記実施形態のように、ディスプレイ４０１ａとタッチセンサ４０２ｂとで構成される操作表示部４０１でなく、たとえば、表示部であるディスプレイと、操作部であるキーボードやマウスが設けられ、マウスやキーボードの操作によって、ディスプレイに表示された画面上で数値が指定され取得されるような構成が採られてもよい。このようにした場合、端末制御部４０３によって指定範囲が検出されることになるため、端末制御部４０３が特許請求の範囲に記載の「検出部」に対応することとなる。
【０１４６】
さらに、画像を撮影するカメラ等の撮像部を備え、撮像部で撮影した画像が含まれる画面を操作表示部４０１に表示させ、その撮影画像に含まれる数値が指定され取得されるようにしてもよい。また、撮像部は、タブレット端末５や携帯電話端末６に備えられていてもよく、この場合、タブレット端末５や携帯電話端末６から出納機１へ撮影画像が送信される。
【０１４７】
さらに、上記実施形態において、画像選択計算機能での計算結果に、電卓機能画面Ｓ２上のテンキーパッドＫ１を用いて手入力された数値が加算されたり減算されたりできる構成が採られてもよい。
【０１４８】
上記実施形態では、指定範囲の画像内容が数値でない情報の場合に、その情報が無視されたが、さらに、指定範囲に数値の単位が含まれている場合に、今回の指定範囲に含まれる単位が前回の指定範囲に含まれる単位と異なったとき、警告を行ったり、取得を了承させるための操作を要求したりするようにしてもよい。また、今回の指定範囲に含まれる数値の桁数が、前回の指定範囲に含まれる数値の桁数と大きく異なる（所定の桁数以上異なる）ときに、警告を行ったり、取得を了承させるための操作を要求したりするようにしてもよい。
【０１４９】
さらに、上記実施形態において、計算結果情報Ｆ２が通信部４０４から送信されて、出納機１の外部の機器、たとえば、管理コンピュータ２やタブレット端末５や携帯電話端末６へ通知されてもよい。このようにした場合、通信部４０４が特許請求の範囲に記載の「情報出力部」に対応する。
【０１５０】
さらに、上記実施形態の出納機１が備える電卓機能が、管理コンピュータ２に備えられてもよい。この場合、管理コンピュータ２の制御部２ａは、電卓機能実行処理の制御動作を実行し、管理コンピュータ２のモニタディスプレイ２ｃに電卓機能画面Ｓ２など電卓機能実行処理に関係する画面が表示される。また、計算結果情報Ｆ２、関係情報Ｆ３等の情報が管理コンピュータ２の記憶部２ｂに記録される。
【０１５１】
さらに、上記実施形態では、計算結果記録部４０２ａが、端末記憶部４０２に備えられたが、管理コンピュータ２の記憶部２ｂなど、出納機１の外部にある機器に備えられてもよい。
【０１５２】
さらに、上記実施形態において、計算履歴選択画面Ｓ６において何れかの選択ボタンＢ１１が押された場合に、操作表示部４０１にログイン画面が表示され、係員のＩＤによるログインを求めるようにしてもよい。この場合、ログインがなされると、端末制御部４０３は、計算履歴表示画面Ｓ７を操作表示部４０１に表示させる。あるいは、計算履歴表示画面Ｓ７の画面表示領域Ｒ５において何れかのサムネイル画像Ｐ１がタッチされた場合に、ログイン画面が表示され、係員のＩＤによるログインを求めるようにしてもよい。この場合、ログインがなされると、端末制御部４０３は、選択されたサムネイル画像Ｐ１に対応する取得元画面の画像Ｐ２を画面表示領域Ｒ５に表示させる。
【０１５３】
さらに、上記実施形態では、本発明の貨幣処理装置として、出納機１が例示され、本発明の貨幣処理システムとして、出納機１と管理コンピュータ２とを含む貨幣処理システム４が例示された。しかしながら、本発明は、出納機１以外の貨幣処理装置、たとえば、窓口カウンタに設置される貨幣入出金機、紙幣のみを取り扱う紙幣入出金機、硬貨のみを取り扱う硬貨入出金機、特定有価媒体および新券のみを取り扱う有価媒体処理機などに適用されてもよいし、貨幣の入金専用機や出金専用機に適用されてもよい。また、本発明は、出納機１と管理コンピュータ２を含む貨幣処理システム４以外の貨幣処理システムに適用されてもよい。たとえば、本発明が、貨幣入出金機と管理コンピュータとを含む貨幣処理システム、貨幣入出金機と出納機（貨幣入出金機を管理する管理装置となる）とを含む貨幣処理システム、釣銭機とＰＯＳレジスタ（釣銭機を管理する管理装置となる）とを含む貨幣処理システムに適用されてもよい。
【０１５４】
この他、本発明の実施形態は、特許請求の範囲に記載の範囲で適宜変更可能である。
【符号の説明】
【０１５５】
１  出納機（貨幣処理装置）
２  管理コンピュータ（管理装置）
４  貨幣処理システム
５０  プリンタ（情報出力部、印字部）
４０１  操作表示部
４０１ａ  ディスプレイ（表示部、情報出力部）
４０１ｂ  タッチセンサ（検出部）
４０２ａ  計算結果記録部（記憶部）
４０３  端末制御部（制御部）
４０４  通信部（情報出力部）
Ｆ１  明細情報
Ｆ２  計算結果情報
Ｓ３  取引明細画面（所定の画面）
Ｐ２  取得元画面の画像
【図１】
2018124796.tif 000003
【図２】
2018124796.tif 000004
【図３】
2018124796.tif 000005
【図４】
2018124796.tif 000006
【図５】
2018124796.tif 000007
【図６】
2018124796.tif 000008
【図７】
2018124796.tif 000009
【図８】
2018124796.tif 000010
【図９】
2018124796.tif 000011
【図１０】
2018124796.tif 000012
【図１１】
2018124796.tif 000013
【図１２】
2018124796.tif 000014
【図１３】
2018124796.tif 000015
【図１４】
2018124796.tif 000016